(57)【特許請求の範囲】
【請求項１】
先端に向かって傾斜する２つの平面を有するねじ棒を備えた回転ツマミと、この回転ツマミを回転可能に組み付ける容器本体と、この容器本体内にて前記ねじ棒と螺合し前記回転ツマミの回転方向に応じて移動可能な中皿からなる繰出し容器において、
前記容器本体は、前記ねじ棒を回転可能に保持する保持部を備えると共に、この保持部に前記容器本体と前記中皿および前記回転ツマミでなる空間を画成する開口を備えるものであり、前記回転ツマミは、前記空間と外部とを連通させる開口を備えるものであることを特徴とする繰出し容器。
【請求項２】
前記ねじ棒の２平面それぞれに、このねじ棒の軸線に沿って延在する通気溝を設けてなる請求項１に記載の繰出し容器。
【請求項３】
前記通気溝がＶ字断面からなる溝である請求項２に記載の繰出し容器。
【発明の詳細な説明】
【０００１】
【発明の属する技術分野】
本発明は、先端に向かって傾斜する２つの平面を有するねじ棒を備えた回転ツマミと、この回転ツマミを回転可能に組み付ける容器本体と、この容器本体内にてねじ棒と螺合し回転ツマミの回転方向に応じて移動可能な中皿からなる繰出し容器に関するものである。
【０００２】
【従来の技術】
繰出し容器は、容器本体内に配した中皿で口紅やリップクリーム、スティックのり等の棒状の内容物を保持し、この中皿を回転ツマミに設けたねじ棒に螺合させたものであり、棒状の内容物を回転ツマミの回転に応じて容器本体から繰出しまたは繰込みできる。
【０００３】
【発明が解決しようとする課題】
こうした繰出し容器は、口紅やリップクリーム、スティックのり等を液状のまま容器本体内に充填して該容器本体内で固化させているため、中皿から飛び出した分のねじ棒には、容器本体内で棒状に固化した内容物が固着する。このため、内容物を繰出す際には、この繰出しに応じたねじ棒の容積分だけ内容物に真空状態の空洞が生じて陥没などを引き起こすことがある。
【０００４】
この問題を解決するため、例えば、実公平３−２５７０４号公報には、容器本体の内側面に環状溝を設けると共に回転ツマミの外側面に前記環状溝に沿って摺動可能な突起を設けることにより回転ツマミを容器本体で回転自在に保持する繰出し容器において、回転ツマミと一体に設けたねじ棒に、その先端に向かって傾斜する２つの平面を設けると共に容器本体および回転ツマミ間の摺動部分に空気を流通させるための隙間を設ける技術が開示されている。
【０００５】
しかしながら、こうした従来の繰出し容器にあっては、回転ツマミを容器本体で保持するため、容器本体および回転ツマミ間の摺動部分に空気を流通させるための隙間を形成するに際し、容器本体のガタつきを抑えつつ内容物の空洞内に空気を供給しなければならないという不都合があった。
【０００６】
同様に、実公平４−６６５０号公報には、容器本体の内側面に環状溝を設けると共に回転ツマミの外側面に前記環状溝に沿って摺動可能な突起を設けることにより回転ツマミを容器本体で回転自在に保持する繰出し容器において、回転ツマミと一体に設けたねじ棒の内部に貫通孔を形成した技術が開示されているが、こうした繰出し容器は、外径の小さなねじ棒の内部に通気孔を形成しなければならないという不都合があった。
【０００７】
本発明は、上述したような事実に鑑みてなされたものであり、固化した内容物を繰出すに際して生じた空洞が真空状態になること防止する構造を備えつつ加工が容易で組み付け性も良好な繰出し容器を提供することを目的とする。
【０００８】
【課題を解決するための手段】
この課題を解決するため、請求項１に記載の、繰出し容器は、先端に向かって傾斜する２つの平面を有するねじ棒を備えた回転ツマミと、この回転ツマミを回転可能に組み付ける容器本体と、この容器本体内にてねじ棒と螺合し回転ツマミの回転方向に応じて移動可能な中皿からなる繰出し容器において、容器本体は、ねじ棒を回転可能に保持する保持部を備えると共に、この保持部に容器本体と中皿および回転ツマミでなる空間を画成する開口を備えるものであり、回転ツマミは、空間と外部とを連通させる開口を備えるものであることを特徴とするものである。
【０００９】
加えて請求項２に記載の、繰出し容器は、請求項１の容器において、ねじ棒の２平面それぞれに、このねじ棒の軸線に沿って延在する通気溝を設けてなる。さらに請求項３に記載の、繰出し容器は、前記請求項２に記載の容器において、通気溝をＶ字断面からなる溝としている。
【００１０】
【発明の実施の形態】
以下、本発明の実施形態を添付図面に基づき詳細に説明する。
【００１１】
図１は、本発明の一実施形態である口紅容器の斜視図であり、図２は、内容物である口紅を容器本体から繰出した状態を示す断面図である。なお、図２では、後述する回転ツマミ１２のねじ棒１１のみを平面で示す。また図３（ａ），（ｂ）はそれぞれ、中皿１４が容器本体１３内に最も繰込まれた状態および中皿１４が容器本体１３内から最も繰出された状態を示す拡大断面図である。
【００１２】
口紅容器１０は、ねじ棒１１を一体に備える回転ツマミ１２と、この回転ツマミ１２を回転可能に組み付ける容器本体１３と、この容器本体１３内にてねじ棒１１と螺合し容器本体１３内の口紅Ｌを保持する中皿１４からなり、容器本体１３の繰出し口には、着脱可能なキャップＣが取り付けられている。
【００１３】
図４（ａ），（ｂ）はそれぞれ、回転ツマミ１２をその側面および先端から示す平面図である。また図５（ａ），（ｂ）はそれぞれ、回転ツマミ１２を正面から示す一部断面図およびその拡大断面図である。
【００１４】
ねじ棒１１は、図４（ａ）および図５（ａ）に示す如く、その先端１１ｅに向かって傾斜する２つの平面１１ｆを有し、そのねじ山Ｓ11の根元部分付近には、水平方向に張り出した突部１１ｐが一体に設けられている。２つの平面１１ｆにはそれぞれ、図４（ａ）に示す如く、ねじ棒１１の軸線に沿って延在する通気溝１５が形成されている。この通気溝１５は、図４（ｂ）に示すようなＶ字断面からなり、その溝幅ｗは、容器本体１３内に充填した口紅Ｌが通気溝１５を塞がないよう設定することが好ましく、口紅やリップクリーム、スティックのり等の、冷却に伴い固化する一般的な内容物を考慮した結果、０．５(mm)未満の寸法に設定することが望ましい。なお、通気溝１５は、本実施例に示したＶ字断面の溝に代えて、円弧状断面や矩形断面の溝とすることも可能である。
【００１５】
回転ツマミ１２は、その外側面１２ｆに滑り止め加工が施されており、図５に示す如く、ねじ棒１１を備えた上面部１２ａに開口１６が形成されている。この開口１６は、図５（ｂ）に示す如く、空気の流通ができる範囲を許容寸法径φとし、この寸法径φは、開口１６を金型成形する際に用いられるピン形状部の強度を考慮した結果、０．５(mm)以上に設定することが望ましい。なお、開口１６は、回転ツマミ１２の上面部に少なくとも１つ形成すればよく、その個数は、容器本体１３内に充填される内容物に応じて適宜変更することができる。
【００１６】
図６（ａ），（ｂ）はそれぞれ、容器本体１３を側面から示す断面図およびその底面から示す平面図である。
【００１７】
容器本体１３は、図６に示す如く、その内部に、ねじ棒１１を保持する保持部１３ａを備え、この保持部１３ａは、容器本体１３の内部をその外部と連通させる開口１７を備える。また保持部１３ａは、図３（ａ）に示す如く、その内側面１３ａ1がねじ棒１１の根元部分１１ｂに接触すると共に、その底側面１３ａ2が回転ツマミ１２の上面部１２ａに接触することにより、開口１７以外の部分をシールすると共にねじ棒１１付き回転ツマミ１２を容器本体１３に固定する。なお、本実施形態の場合、開口１７は、図６（ｂ）に示す如く、図容器本体１３内に、ねじ棒１１をその突部１１ｐと共に導入可能な形状からなる。
【００１８】
中皿１４は、図３（ａ），（ｂ）に示す如く、ねじ棒１１が螺合するねじ穴Ｓ14を備え、その外周部に、容器本体１３の内部に形成したガイド突起１３ｇと摺動自在に嵌合するガイド溝１４ｇが形成されている。これにより、中皿１４は、ねじ棒１１の回転によって連れ回されることなく、容器本体１３に沿って移動する。このため、中皿１４で保持された口紅を容器本体１３から繰出したり、繰込んだりすることができる。なお、ねじ穴Ｓ14の下端部分は、図３（ａ）に示す如く、ねじ棒１１の突部１１ｐとラチェット嵌合し、口紅が容器本体１３内に繰込む量を規制するように構成されている。
【００１９】
ここで、口紅容器１０の作用を説明する。
【００２０】
液状の口紅を充填した口紅容器１０は、図３（ａ）に示す如く、容器本体１３の保持部１３ａに設けた開口１７によって容器本体１３と中皿１４および回転ツマミ１２でなる空間Ｒを画成し、この空間Ｒを回転ツマミ１２に設けた開口１６によって連通させている。
【００２１】
このため、使用者がツマミ１２を回転させて棒状に固化した口紅Ｌを繰出して図２に示す如く、口紅Ｌに真空状態の空洞ｈが生じても、この空洞ｈは、図２の矢印で示す如く、口紅Ｌの繰出しによってねじ棒１１に設けた２つの傾斜面１１ｆと口紅Ｌとの間に生じた隙間およびこれら傾斜面１１ｆに設けたＶ字断面からなる通気溝１５を介して空間Ｒおよび回転ツマミ１２に設けた開口１６を経て容器外部と連通し、口紅Ｌが陥没することを防止することができる。
【００２２】
この場合、口紅Ｌに生じた空洞ｈは、容器本体１３に設けた保持部１３ａおよび回転ツマミ１２に開口１６，１７を設けるだけで容器外部と連通することから、空洞ｈが真空状態になること防止する構造を簡単な加工で製造することができる。加えて回転ツマミ１２は、容器本体１３に対してねじ棒１１で保持されるため、容器本体１３がガタつくことなく良好な組み付け性が得られる。
【００２３】
従って、本発明によれば、固化した口紅Ｌを繰出すに際して生じた空洞ｈが真空状態になること防止する構造を備えつつ加工が容易で組み付け性も良好な繰出し容器を提供することができる。
【００２４】
上述したところは、本発明の好適な実施形態を示したに過ぎず、当業者によれば、請求の範囲において、種々の変更を加えることができる。例えば、本発明に係る繰出し容器は、樹脂を適用することができるが金属、あるいはその組合せにて構成されるものであってもよく、材質についてはとくに限定はされない。また、容器本体に充填される内容物は、口紅Ｌに限らず、リップクリーム、スティックのり等であってもよい。
【００２５】
また本実施形態の口紅容器１０は、ねじ棒１１に設けた２つの傾斜面１１ｆそれぞれに、このねじ棒１１の軸線に沿って延在するＶ字断面からなる通気溝１７を設けたことから、傾斜面１１ｆを大きくすることなく、口紅に生じた空洞ｈを確実に空間Ｒに連通させることができるため、ねじ棒１１の強度、即ちねじ棒１１の耐久性を向上させることができる。
【００２６】
【発明の効果】
本発明である繰出し容器は、容器本体の保持部に設けた開口によって容器本体と中皿および回転ツマミでなる空間を画成し、この空間と容器外部とを回転ツマミに設けた開口によって連通させる。このため、棒状に固化した内容物の繰出しでこの内容物に真空状態の空洞が生じても、この空洞は、中皿の繰出しよってねじ棒に設けた２つの傾斜面と内容物との間に生じた隙間から容器本体と中皿および回転ツマミでなる空間および回転ツマミに設けた開口を経て外部と連通し、内容物が陥没することを防止することができる。
【００２７】
この場合、内容物に生じた空洞は、容器本体に設けた保持部および回転ツマミに開口を設けるだけで容器外部と連通することから、空洞が真空状態になること防止する構造簡単な加工で製造することができる。加えて回転ツマミは、容器本体に対してねじ棒で保持されるため、容器本体がガタつくことなく良好な組み付け性が得られる。
【００２８】
従って、本発明によれば、固化した内容物を繰出すに際して生じた空洞が真空状態になること防止する構造を備えつつ加工が容易で組み付け性も良好な繰出し容器を提供することができる。
【図面の簡単な説明】
【図１】  本発明の一実施形態である口紅容器の斜視図である。
【図２】  同実施形態において、口紅を容器本体から繰出した状態を示す断面図である。
【図３】  （ａ），（ｂ）はそれぞれ、同実施形態において、中皿が容器本体内に最も繰込まれた状態および中皿が容器本体内から最も繰出された状態を示す拡大断面図である。
【図４】  （ａ），（ｂ）はそれぞれ、同実施形態において、回転ツマミをその先端および側面から示す平面図である。
【図５】  （ａ），（ｂ）はそれぞれ、同実施形態において、回転ツマミを正面から示す一部断面図およびその拡大断面図である。
【図６】  （ａ），（ｂ）はそれぞれ、同実施形態において、容器本体を側面から示す断面図およびその底面から示す平面図である。
【符号の説明】
１０  口紅容器
１１  ねじ棒
１１ｐ  突部
１１ｂ  根元部分
１２  回転ツマミ
１２ａ  上面部
１３  容器本体
１３ａ  保持部
１３ａ1  内側面
１３ａ2  底側面
１４  中皿
１５  通気溝
１６  開口（回転ツマミ）
１７  開口（保持部）
ｈ  空洞
Ｌ  口紅
Ｒ  空間
【図１】
0004035362.tif 000002
【図２】
0004035362.tif 000003
【図３】
0004035362.tif 000004
【図４】
0004035362.tif 000005
【図５】
0004035362.tif 000006
【図６】
0004035362.tif 000007